(57)【特許請求の範囲】
【請求項１】
透液性の表面シートと、不透液性の裏面シートと、前記表面シートと前記裏面シートとの間に介装される吸収体と、を備え、人体の股部を腹側から背側にかけて覆うように、一方の端部に腹側部が形成され、他方の端部に背側部が形成され、前記腹側部と前記背側部との間に股下部が形成されている吸収性物品において、
前記表面シート側が摘まれて肌当接面側に凸となる複数の内側摘み部と、前記裏面シート側が摘まれて外面側に凸となる複数の外側摘み部と、を有し、
前記腹側部を上にして略逆三角形または略台形の前記腹側部側の頂点に前記複数の外側摘み部の少なくとも２つが、前記背側部側の頂点に前記複数の内側摘み部の少なくとも一対または２つがそれぞれ配置されることによって、装着者の人体の所定位置に沿う立体形状が形成されることを特徴とする吸収性物品。
【請求項２】
前記内側摘み部は、前記表面シート側から当該吸収性物品の全体を折り曲げるように摘まれて形成され、前記外側摘み部は、前記裏面シート側から当該吸収性物品の全体を折り曲げるように摘まれて形成されていることを特徴とする請求項１に記載の吸収性物品。
【請求項３】
前記内側摘み部は、前記表面シート側が摘まれた反対面側において接着され、前記外側摘み部は、前記裏面シート側が摘まれた反対面側において接着されていることを特徴とする請求項１又は２に記載の吸収性物品。
【請求項４】
前記立体形状は、当該吸収性物品を着用した装着者の男性器を収容する位置に形成されていることを特徴とする請求項１〜３の何れか一項に記載の吸収性物品。
【発明の詳細な説明】
【技術分野】
【０００１】
本発明は、吸収性物品に関する。
【背景技術】
【０００２】
従来、使い捨ての紙おむつや尿取りパッド、生理用ナプキン等の吸収性物品として、トップシートとバックシートの間に吸収体を介在させて成るものが知られている。そして、例えば、紙おむつを下腹部に着用することによって、失禁により排出された尿などの体液をその紙おむつに備えられた吸収体に吸収させることができる。
このような吸収性物品において、その吸収性物品の一部分が立体的に摘まれて、摘み部が形成されたものが知られている（例えば、特許文献１参照。）。
【特許文献１】特開２００７−９８０３７号公報
【発明の開示】
【発明が解決しようとする課題】
【０００３】
しかしながら、上記特許文献１の場合、立体的な摘み部は、吸収性物品を人体に装着する際の中心位置を示す目印となって、その吸収性物品の装着ずれを防ぐためのものであるので、吸収性物品を適切に装着することで、体液漏れを防ぐことはできるものの、人体へのフィット性や装着感を向上させることはできなかった。
【０００４】
本発明の目的は、人体へのフィット性や装着感を向上させることができる吸収性物品を提供することである。
【課題を解決するための手段】
【０００５】
以上の課題を解決するため、請求項１に記載の発明は、
透液性の表面シートと、不透液性の裏面シートと、前記表面シートと前記裏面シートとの間に介装される吸収体と、を備え、人体の股部を腹側から背側にかけて覆うように、一方の端部に腹側部が形成され、他方の端部に背側部が形成され、前記腹側部と前記背側部との間に股下部が形成されている吸収性物品において、
前記表面シート側が摘まれて肌当接面側に凸となる複数の内側摘み部と、前記裏面シート側が摘まれて外面側に凸となる複数の外側摘み部と、を有し、
前記腹側部を上にして略逆三角形または略台形の前記腹側部側の頂点に前記複数の外側摘み部の少なくとも２つが、前記背側部側の頂点に前記複数の内側摘み部の少なくとも一対または２つがそれぞれ配置されることによって、装着者の人体の所定位置に沿う立体形状が形成されることを特徴とする。
【０００６】
請求項２に記載の発明は、請求項１に記載の吸収性物品において、
前記内側摘み部は、前記表面シート側から当該吸収性物品の全体を折り曲げるように摘まれて形成され、前記外側摘み部は、前記裏面シート側から当該吸収性物品の全体を折り曲げるように摘まれて形成されていることを特徴とする。
【０００７】
請求項３に記載の発明は、請求項１又は２に記載の吸収性物品において、
前記内側摘み部は、前記表面シート側が摘まれた反対面側において接着され、前記外側摘み部は、前記裏面シート側が摘まれた反対面側において接着されていることを特徴とする。
【０００８】
請求項４に記載の発明は、請求項１〜３の何れか一項に記載の吸収性物品において、
前記立体形状は、当該吸収性物品を着用した装着者の男性器を収容する位置に形成されていることを特徴とする。
【発明の効果】
【０００９】
本発明によれば、吸収性物品は、内側摘み部と外側摘み部とによって形成される立体形状であって、吸収性物品を着用する装着者の人体の所定位置に沿う立体形状を有しているので、この吸収性物品を装着した人体の膨らみや凹みにその立体形状が沿い、フィットするようになる。そして、このような立体形状を吸収性物品に形成することによって、吸収性物品の人体へのフィット性を向上させることができ、その装着感を向上させることができる。
特に、この吸収性物品の内側摘み部や外側摘み部は、吸収性物品を構成する表面シートや裏面シートを摘んで凸状に曲げるように形成されているので、内側摘み部と外側摘み部とからなる立体形状は、その内側摘み部と外側摘み部や、それらに応じた折目に沿って曲がり易くなっており、吸収性物品を装着する際にその折目などに沿って曲がるなどして、人体の膨らみや凹みに対応して変形し易くなっている。そのため、吸収性物品の人体への装着を容易に行うことができ、また、吸収性物品の人体へのフィット性が良好になる。また、吸収性物品を人体に良好にフィットさせて、体液漏れを防ぐことができる。
【発明を実施するための最良の形態】
【００１０】
以下、本発明の実施の形態を図１から図９に基づいて説明する。
本実施の形態では、吸収性物品として、使い捨て紙おむつなどの内部に備えて使用するインナーパッドを一例として説明する。
【００１１】
図１は、本実施の形態における吸収性物品であるインナーパッドの内面側の斜視図であり、図２は、そのインナーパッドの外面側の斜視図である。図３（ａ）は、図１のＡ−Ａ線における断面図であり、図３（ｂ）は、図１のＢ−Ｂ線における断面図である。
【００１２】
インナーパッド１は、図１〜図３に示すように、人体との接触面側に設けられ、尿などの体液を速やかに透過させる透液性の表面シート１０と、人体との接触面と反対側に設けられる、不透液性の裏面シート１１と、これら表面シート１０と裏面シート１１との間に介装される吸収体１２等を備えて構成されている。
また、このインナーパッド１においては、人体の股部を腹側から背側にかけて覆うように、一方の端部に腹側部１３が形成され、他方の端部に背側部１４が形成されている。また、腹側部１３と背側部１４との間が股下部１５となっている。
そして、インナーパッド１における股下部１５から腹側部１３には、複数（例えば、２つ）の内側摘み部１６と、複数（例えば、３つ）の外側摘み部１７とが設けられており、その内側摘み部１６と外側摘み部１７とによって、インナーパッド１を着用する装着者の人体に沿う立体形状を呈する装着部２０が形成されている。
【００１３】
表面シート１０は、有孔または無孔の不織布や、多孔性プラスチックシートなどにより形成されている。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、或いはこれらを組み合わせた方法等によって不織布を製造することができる。
表面シート１０に多数の透孔を形成した場合には、体液がより速やかに吸収されるようになり、ドライタッチ性に優れたものとなる。
【００１４】
裏面シート１１は、ポリエチレン等の少なくとも遮水性を有するシート材により形成されている。また、ムレ防止の観点から透湿性を有するシート材であることが好ましく、この遮水性と透湿性とを具備するシート材としては、ポリエチレンやポリプロピレン等のオレフィン系樹脂中に無機充填剤を溶融混練してシートを成形した後、一軸または二軸方向に延伸することにより得られる微多孔性シート材が好適に用いられる。
そして、図３に示すように、この裏面シート１１の幅方向の端部は、それぞれ裏面シート１１の内側へ向けて折り返されて、表面シート１０を挟み込むようになっている。この裏面シート１１が折り返された部分に、ホットメルトなどの接着剤からなる接着剤層（図示省略）が設けられており、折り返された裏面シート１１と表面シート１０とが接着されている。
【００１５】
吸収体１２は、インナーパッド１の使用時に、体液としての尿等の水様成分を吸収するものであり、綿やパルプ等の吸収性素材や、高吸水性樹脂（ＳＡＰ；Super Absorbent Polymer）や、繊維或いはフィルム等のシート状基材とを組み合わせて形成される。
吸収体１２は、インナーパッド１の腹側部１３側から背側部１４側に亘る長さに形成され、この吸収体１２の長手方向の中央側は、吸収体１２の両端部の幅より狭く形成されている。つまり、吸収体１２の略中央部である股下部１５に相当する部分は、吸収体１２の両端部である腹側部１３や背側部１４に相当する部分より、幅が狭く形成されて、砂時計様の形状を呈している。
この吸収体１２における略中央部である股下部１５に相当する部分の幅を、その長手方向の両端部に比べて狭く形成することにより、インナーパッド１を人体に装着した際に、人体の股下（そけい部）に対して吸収体１２がフィットしやすくなっている。
【００１６】
内側摘み部１６は、表面シート１０側が摘まれて、インナーパッド１の装着時に内側になる肌当接面側に凸となる立体部であって、このインナーパッド１の全体（具体的には、表面シート１０と吸収体１２と裏面シート１１の３層）が表面シート１０側から折り曲げられるように摘まれて形成されている。
なお、この内側摘み部１６は、表面シート１０側が摘まれた反対面側において、折り曲げられて対向する配置となった裏面シート１１同士が接着剤や熱融着などによって接着されて、その形状が固定されるようになっている。
そして、２つの内側摘み部１６は、インナーパッド１の股下部１５から腹側部１３における股下部１５寄りの位置に、そのインナーパッド１の幅方向に並んで設けられている。
【００１７】
外側摘み部１７は、裏面シート１１側が摘まれて、インナーパッド１の装着時に外側になる外面側に凸となる立体部であって、このインナーパッド１の全体（具体的には、裏面シート１１と吸収体１２と表面シート１０の３層）が裏面シート１１側から折り曲げられるように摘まれて形成されている。
なお、この外側摘み部１７は、裏面シート１１側が摘まれた反対面側において、折り曲げられて対向する配置となった表面シート１０同士が接着剤や熱融着などによって接着されて、その形状が固定されるようになっている。
そして、３つの外側摘み部１７のうちの１つは、２つの内側摘み部１６にほぼ挟まれた位置に設けられており、２つの外側摘み部１７は、インナーパッド１の股下部１５から腹側部１３における腹側部１３寄りの位置に、そのインナーパッド１の幅方向に並んで設けられている。そして、この３つの外側摘み部１７は、腹側部１３を上にして略逆三角形の頂点の配置となっている。
【００１８】
装着部２０は、２つの内側摘み部１６と３つの外側摘み部１７とによる凹凸や折目が組み合わされてなる立体形状を成しており、この装着部２０は、図３（ｂ）に示すように、表面シート１０から裏面シート１１に向かってくぼんだ形状を有している。
そして、装着部２０は、装着者の人体の膨らみや凹みに沿う立体形状に形成されているので、インナーパッド１が人体に好適にフィットするようになっている。
なお、装着部２０は、インナーパッド１を折り曲げるようにして摘んで形成した内側摘み部１６と外側摘み部１７とからなっており、その内側摘み部１６と外側摘み部１７や、それらに応じた折目に沿って曲がり易くなっているので、インナーパッド１を装着する際に、その折目などに沿って曲がるなどして人体の膨らみや凹みに対応して変形し易くなっている。そのため、インナーパッド１の人体への装着を容易に行うことができ、また、インナーパッド１の人体へのフィット性が向上する。
【００１９】
特に、この装着部２０は、インナーパッド１における股下部１５から腹側部１３側であって、インナーパッド１を着用した装着者の所定位置としての男性器を収容する位置に形成されている。つまり、装着部２０は、人体おける男性器の膨らみや厚みを考慮した立体形状に形成されており、装着部２０におけるくぼみに男性器をフィットさせるように収容することが可能になっている。
また、この装着部２０は、インナーパッド１における股下部１５から腹側部１３側であって、体液（例えば、尿）が排出される箇所（例えば、尿道口の近傍）に形成されている窪みであるので、排出された体液が吸収体１２に吸収されるまでの一時的な溜め場となる体液ポケットとして機能し、インナーパッド１からの体液漏れを防止することができる。
【００２０】
以上のように、インナーパッド１は、２つの内側摘み部１６と３つの外側摘み部１７とによって形成される装着部２０を備えており、この装着部２０は、装着者の人体の膨らみや凹みに沿う立体形状に形成されているので、このインナーパッド１を着用した装着者の人体へのフィット性を向上させることができ、その装着感を向上させることができる。
特に、装着部２０は、インナーパッド１における股下部１５から腹側部１３において、インナーパッド１を着用した装着者の男性器を収容する位置に形成されているので、インナーパッド１の装着者が男性である場合に、より好適な人体へのフィット性を得ることができ、より良好な装着感が得られることになる。つまり、このインナーパッド１は、男性用のインナーパッド（吸収性物品）として好適に機能する。
【００２１】
なお、本発明は上記実施形態に限られるものではない。
【００２２】
例えば、図４、図５に示すように、インナーパッド２における股下部１５から腹側部１３に、２つの内側摘み部１６と、２つの外側摘み部１７とを設けて、それら内側摘み部１６と外側摘み部１７とによって、インナーパッド２を着用する装着者の人体に沿う立体形状を呈する装着部３０を形成するようにしてもよい。
【００２３】
このインナーパッド２の内側摘み部１６は、インナーパッド２の股下部１５から腹側部１３における股下部１５寄りの位置に、そのインナーパッド２の幅方向に近接して並んで設けられている。
また、インナーパッド２の外側摘み部１７は、インナーパッド２の股下部１５から腹側部１３における腹側部１３寄りの位置に、そのインナーパッド２の幅方向に並んで設けられている。
この２つの外側摘み部１７と一対の内側摘み部１６とは、腹側部１３を上にして略逆三角形の頂点の配置となっている。
【００２４】
そして、装着部３０は、２つの内側摘み部１６と２つの外側摘み部１７とによる凹凸や折目が組み合わされてなる立体形状であって、装着者の人体の膨らみや凹みに沿う立体形状に形成されており、表面シート１０から裏面シート１１に向かってくぼんだ形状を有している。
この装着部３０も、インナーパッド２を着用した装着者の男性器を収容する位置に形成されており、装着部３０におけるくぼみに男性器をフィットさせるように収容することが可能になっている。また、この装着部３０は、体液（例えば、尿）が排出される箇所（例えば、尿道口の近傍）に形成されており、排出された体液が吸収体１２に吸収されるまでの一時的な溜め場となる体液ポケットとして機能し、インナーパッド２における体液漏れを防止することが可能になっている。
【００２５】
このような装着部３０を備えるインナーパッド２も、インナーパッド２を着用した装着者の人体へのフィット性を向上させることができるとともに、その装着感を向上させることができる。
【００２６】
また、図６、図７に示すように、インナーパッド３における股下部１５に、２つの内側摘み部１６と、２つの外側摘み部１７とを設けて、それら内側摘み部１６と外側摘み部１７とによって、インナーパッド３を着用する装着者の人体に沿う立体形状を呈する装着部４０を形成するようにしてもよい。
【００２７】
このインナーパッド３の内側摘み部１６は、インナーパッド３の股下部１５における背側部１４寄りの位置に、インナーパッド３の幅方向に並んで設けられている。
また、インナーパッド３の外側摘み部１７は、インナーパッド３の股下部１５における腹側部１３寄りの位置に、インナーパッド３の幅方向に並んで設けられている。
この２つの外側摘み部１７と２つの内側摘み部１６とは、略台形の頂点の配置となっている。
【００２８】
そして、装着部４０は、２つの内側摘み部１６と２つの外側摘み部１７とによる凹凸や折目が組み合わされてなる立体形状であって、装着者の人体の膨らみや凹みに沿う立体形状に形成されており、表面シート１０から裏面シート１１に向かってくぼんだ形状を有している。
この装着部４０は、インナーパッド３を折り曲げるようにして摘んで形成した内側摘み部１６と外側摘み部１７とからなっており、その内側摘み部１６と外側摘み部１７や、それらに応じた折目に沿って曲がり易くなっているので、インナーパッド３を人体の股下に装着する際に、その折目などに沿って曲がるなどして狭い股下において人体の膨らみや凹みに対応して変形し易くなっており、人体への装着を容易に行うことができる。
また、この装着部４０は、体液（例えば、尿）が排出される箇所（例えば、尿道口の近傍）に形成されており、排出された体液が吸収体１２に吸収されるまでの一時的な溜め場となる体液ポケットとして機能し、インナーパッド３における体液漏れを防止することが可能になっている。
【００２９】
このような装着部４０を備えるインナーパッド３も、インナーパッド３を着用した装着者の人体へのフィット性を向上させることができるとともに、その装着感を向上させることができる。
【００３０】
また、図８、図９に示すように、インナーパッド４における股下部１５から腹側部１３に、３本の線状の摘み部が組み合わされてなる外側摘み部１７ａを設けて、その外側摘み部１７ａによって、インナーパッド４を着用する装着者の人体に沿う立体形状を呈する装着部５０を形成するようにしてもよい。
【００３１】
このインナーパッド４の外側摘み部１７ａは、インナーパッド４の股下部１５から腹側部１３にかけて設けられており、腹側部１３を上にして略Ｙ字形状を呈している。
そして、装着部５０は、外側摘み部１７ａによる凹凸や折目が組み合わされてなる立体形状であって、装着者の人体の膨らみや凹みに沿う立体形状に形成されており、表面シート１０から裏面シート１１に向かってくぼんだ形状を有している。
【００３２】
このような装着部５０を備えるインナーパッド４も、インナーパッド４を着用した装着者の人体へのフィット性を向上させることができるとともに、その装着感を向上させることができる。
【００３３】
なお、以上の実施の形態においては、内側摘み部１６と外側摘み部１７とは、インナーパッド１の全体である、表面シート１０と吸収体１２と裏面シート１１の３層を折り曲げるように摘んで形成されるとしたが、本発明はこれに限定されるものではなく、例えば、内側摘み部１６を、表面シート１０のみや、表面シート１０と吸収体１２とを折り曲げるように摘んで形成してもよく、また、外側摘み部１７を、裏面シート１１のみや、裏面シート１１と吸収体１２とを折り曲げるように摘んで形成してもよい。
【００３４】
また、内側摘み部１６や外側摘み部１７の数や配置や個々の大きさ等は任意であって、所望する装着部の形状やサイズに応じて、適宜調整して形成すればよい。
【００３５】
また、その他、具体的な細部構造等についても適宜に変更可能であることは勿論である。
【図面の簡単な説明】
【００３６】
【図１】本発明にかかるインナーパッドを示す内面側斜視図である。
【図２】本発明にかかるインナーパッドを示す外面側斜視図である。
【図３】本発明にかかるインナーパッドを示す断面図であり、図１のＡ−Ａ線における断面図（ａ）と、図１のＢ−Ｂ線における断面図である。
【図４】本発明にかかるインナーパッドの変形例を示す内面側斜視図である。
【図５】本発明にかかるインナーパッドの変形例を示す外面側斜視図である。
【図６】本発明にかかるインナーパッドの変形例を示す内面側斜視図である。
【図７】本発明にかかるインナーパッドの変形例を示す外面側斜視図である。
【図８】本発明にかかるインナーパッドの変形例を示す内面側斜視図である。
【図９】本発明にかかるインナーパッドの変形例を示す外面側斜視図である。
【符号の説明】
【００３７】
１、２、３、４  インナーパッド（吸収性物品）
１０    表面シート
１１    裏面シート
１２    吸収体
１３    腹側部
１４    背側部
１５    股下部
１６    内側摘み部
１７    外側摘み部
１７ａ  外側摘み部
２０    装着部（立体形状）
３０    装着部（立体形状）
４０    装着部（立体形状）
５０    装着部（立体形状）
【図１】
0005145015.tif 000002
【図２】
0005145015.tif 000003
【図３】
0005145015.tif 000004
【図４】
0005145015.tif 000005
【図５】
0005145015.tif 000006
【図６】
0005145015.tif 000007
【図７】
0005145015.tif 000008
【図８】
0005145015.tif 000009
【図９】
0005145015.tif 000010